(57)【特許請求の範囲】
【請求項１】
車両の開閉体を自動開閉するためのモータ本体に供給する駆動電力をＰＷＭ制御により調整し前記モータ本体を通じて前記開閉体の作動態様を変更可能に制御するＰＷＭ制御部と、
駆動中の前記モータ本体の回転が拘束されたときの該モータ本体の駆動情報が設定条件を満たしているか否かを判定する設定条件判定部と、
前記設定条件判定部にて前記駆動情報が前記設定条件を満たしていると判定された場合、当該モータ本体の回転が拘束されたときの前記開閉体の開閉位置を可動域の端位置として設定する位置設定部と
を備え、
前記ＰＷＭ制御部は、前記設定条件判定部による、前記駆動情報が前記設定条件を満たしているか否かの判定結果に基づいて、ＰＷＭ制御の制御周波数を可聴域の周波数として前記モータ本体から可聴域の音を生じさせる設定報知動作を実行するものであり、
前記設定条件判定部は、前記判定結果が前記設定条件を満たしているか否かの判定を、駆動中の前記モータ本体の回転が拘束されてから所定時間が経過する間、継続して前記モータ本体への駆動電力の供給が行われているか否かの判定結果に基づいて行うことを特徴とする開閉体制御装置。
【請求項２】
車両の開閉体を自動開閉するためのモータ本体に供給する駆動電力をＰＷＭ制御により調整し前記モータ本体を通じて前記開閉体の作動態様を変更可能に制御するＰＷＭ制御部と、
駆動中の前記モータ本体の回転が拘束されたときの該モータ本体の駆動情報が設定条件を満たしているか否かを判定する設定条件判定部と、
前記設定条件判定部にて前記駆動情報が前記設定条件を満たしていると判定された場合、当該モータ本体の回転が拘束されたときの前記開閉体の開閉位置を可動域の端位置として設定する位置設定部と
を備え、
前記ＰＷＭ制御部は、前記設定条件判定部による、前記駆動情報が前記設定条件を満たしているか否かの判定結果に基づいて、ＰＷＭ制御の制御周波数を可聴域の周波数として前記モータ本体から可聴域の音を生じさせる設定報知動作を実行するものであり、
前記ＰＷＭ制御部は、前記判定結果が前記設定条件を満たしている旨の判定の場合、及び前記設定条件を満たしていない旨の判定の場合の各々で前記設定報知動作を実行し、
前記判定結果が前記設定条件を満たしている旨の判定の場合の前記設定報知動作の発音態様と、前記判定結果が前記設定条件を満たしていない旨の判定の場合の前記設定報知動作の発音態様とが異なることを特徴とする開閉体制御装置。
【請求項３】
車両の開閉体を自動開閉するためのモータ本体に供給する駆動電力をＰＷＭ制御により調整し前記モータ本体を通じて前記開閉体の作動態様を変更可能に制御するＰＷＭ制御部と、
駆動中の前記モータ本体の回転が拘束されたときの該モータ本体の駆動情報が設定条件を満たしているか否かを判定する設定条件判定部と、
前記設定条件判定部にて前記駆動情報が前記設定条件を満たしていると判定された場合、当該モータ本体の回転が拘束されたときの前記開閉体の開閉位置を可動域の端位置として設定する位置設定部と
を備え、
前記ＰＷＭ制御部は、前記設定条件判定部による、前記駆動情報が前記設定条件を満たしているか否かの判定結果に基づいて、ＰＷＭ制御の制御周波数を可聴域の周波数として前記モータ本体から可聴域の音を生じさせる設定報知動作を実行するものであり、
前記位置設定部は、
前記開閉体の閉作動中に前記モータ本体の回転が拘束されたときの該モータ本体の駆動情報が全閉位置の設定条件を満たしていると前記設定条件判定部にて判定された場合、当該モータ本体の回転が拘束されたときの前記開閉体の開閉位置を全閉位置として設定し、
前記開閉体の開作動中に前記モータ本体の回転が拘束されたときの該モータ本体の駆動情報が全開位置の設定条件を満たしていると前記設定条件判定部にて判定された場合、当該モータ本体の回転が拘束されたときの前記開閉体の開閉位置を全開位置として設定し、
前記ＰＷＭ制御部は、
前記設定条件判定部による前記全閉位置の設定条件を満たしているか否かの判定結果に基づいて、閉作動時用の発音態様で前記設定報知動作を実行し、
前記設定条件判定部による前記全開位置の設定条件を満たしているか否かの判定結果に基づいて、前記閉作動時用の発音態様とは異なる開作動時用の発音態様で前記設定報知動作を実行することを特徴とする開閉体制御装置。
【請求項４】
前記ＰＷＭ制御部は、前記判定結果が前記設定条件を満たしている旨の判定の場合にのみ、又は前記設定条件を満たしていない旨の判定の場合にのみ、前記設定報知動作を実行することを特徴とする請求項３に記載の開閉体制御装置。
【請求項５】
開閉体を自動開閉するためのモータ本体と、
請求項１〜４のいずれか１項に記載の開閉体制御装置と
を備えたことを特徴とする開閉体駆動モータ。
【請求項６】
車両に搭載される開閉体と、
前記開閉体を自動開閉するためのモータ本体を含む開閉体駆動モータと、
請求項１〜４のいずれか１項に記載の開閉体制御装置と
を備えたことを特徴とする開閉体駆動システム。
【発明の詳細な説明】
【技術分野】
【０００１】
本発明は、車両のパワーウインドやスライドルーフ、スライドドア等の自動開閉を行うための開閉体制御装置、開閉体駆動モータ及び開閉体駆動システムに関するものである。
【背景技術】
【０００２】
従来、車両の開閉体駆動システムでは、制御装置にて制御されるモータの駆動により例えばウインドガラス等の開閉体の自動開閉を行うが、種々の開閉制御を実行するためには、開閉体の可動域の端位置（全閉位置や全開位置）を制御装置が認識していることが望ましい（例えば特許文献１参照）。制御装置において開閉体の可動域の端位置が設定（認識）される態様としては、モータ（開閉体）の駆動中に該モータの回転が拘束されたとき、そのときのモータの駆動情報が所定の設定条件を満たす場合に、そのモータ本体の回転が拘束されたときの開閉体の位置を可動域の端位置として設定するようになっている。なお、上記のような可動域の端位置の設定は、車両への開閉体駆動システムの組付時や構成部品の交換時、車両バッテリの交換時等、制御装置が前記可動域の端位置情報を記憶していない（喪失している）場合に行われる。
【先行技術文献】
【特許文献】
【０００３】
【特許文献１】特開２００２−２２９３号公報
【発明の概要】
【発明が解決しようとする課題】
【０００４】
上記のように開閉体の可動域の端位置を設定する際には、例えば作業性を向上させるために、駆動中のモータ本体の回転が拘束された（開閉体の動きが止まった）後に、開閉体の可動域の端位置を設定が完了した（もしくは設定が完了される見込みがある）か否かの報知を行いたいが、そのために車載のスピーカやスイッチ部のＬＥＤ照明等を用いた報知は煩雑であり、またそのためだけの報知装置を別途設けることは非現実的である。
【０００５】
本発明は、上記課題を解決するためになされたものであって、その目的は、開閉体の可動域の端位置の設定時における報知を簡易に行うことができる開閉体制御装置、開閉体駆動モータ及び開閉体駆動システムを提供することにある。
【課題を解決するための手段】
【０００６】
上記課題を解決する開閉体制御装置は、車両の開閉体を自動開閉するためのモータ本体に供給する駆動電力をＰＷＭ制御により調整し前記モータ本体を通じて前記開閉体の作動態様を変更可能に制御するＰＷＭ制御部と、駆動中の前記モータ本体の回転が拘束されたときの該モータ本体の駆動情報が設定条件を満たしているか否かを判定する設定条件判定部と、前記設定条件判定部にて前記駆動情報が前記設定条件を満たしていると判定された場合、当該モータ本体の回転が拘束されたときの前記開閉体の開閉位置を可動域の端位置として設定する位置設定部とを備え、前記ＰＷＭ制御部は、前記設定条件判定部による、前記駆動情報が前記設定条件を満たしているか否かの判定結果に基づいて、ＰＷＭ制御の制御周波数を可聴域の周波数として前記モータ本体から可聴域の音を生じさせる設定報知動作を実行するものであり、前記設定条件判定部は、前記判定結果が前記設定条件を満たしているか否かの判定を、駆動中の前記モータ本体の回転が拘束されてから所定時間が経過する間、継続して前記モータ本体への駆動電力の供給が行われているか否かの判定結果に基づいて行う。
【０００７】
上記態様によれば、回転が拘束されたときのモータ本体の駆動情報が可動域の端位置の設定条件を満たしているか否かに基づいて、モータ本体から可聴域の音を生じさせる設定報知動作が実行される。これにより、開閉位置の可動域の端位置の設定が完了した（もしくは設定が完了される見込みがある）か否かの報知を、モータ本体からの発音によって簡易に行うことができ、その結果、作業性の向上や、設定不良の発生の抑制が可能となる。
【０００９】
上記課題を解決する開閉体制御装置は、車両の開閉体を自動開閉するためのモータ本体に供給する駆動電力をＰＷＭ制御により調整し前記モータ本体を通じて前記開閉体の作動態様を変更可能に制御するＰＷＭ制御部と、駆動中の前記モータ本体の回転が拘束されたときの該モータ本体の駆動情報が設定条件を満たしているか否かを判定する設定条件判定部と、前記設定条件判定部にて前記駆動情報が前記設定条件を満たしていると判定された場合、当該モータ本体の回転が拘束されたときの前記開閉体の開閉位置を可動域の端位置として設定する位置設定部とを備え、前記ＰＷＭ制御部は、前記設定条件判定部による、前記駆動情報が前記設定条件を満たしているか否かの判定結果に基づいて、ＰＷＭ制御の制御周波数を可聴域の周波数として前記モータ本体から可聴域の音を生じさせる設定報知動作を実行するものであり、前記ＰＷＭ制御部は、前記判定結果が前記設定条件を満たしている旨の判定の場合、及び前記設定条件を満たしていない旨の判定の場合の各々で前記設定報知動作を実行し、前記判定結果が前記設定条件を満たしている旨の判定の場合の前記設定報知動作の発音態様と、前記判定結果が前記設定条件を満たしていない旨の判定の場合の前記設定報知動作の発音態様とが異なる。
上記態様によれば、回転が拘束されたときのモータ本体の駆動情報が可動域の端位置の設定条件を満たしているか否かに基づいて、モータ本体から可聴域の音を生じさせる設定報知動作が実行される。これにより、開閉位置の可動域の端位置の設定が完了した（もしくは設定が完了される見込みがある）か否かの報知を、モータ本体からの発音によって簡易に行うことができ、その結果、作業性の向上や、設定不良の発生の抑制が可能となる。
【００１０】
上記態様によれば、開閉体の可動域の端位置の設定が完了した（もしくは設定が完了される見込みがある）か否かの報知をモータ本体からの発音によって行うことができる。
上記課題を解決する開閉体制御装置は、車両の開閉体を自動開閉するためのモータ本体に供給する駆動電力をＰＷＭ制御により調整し前記モータ本体を通じて前記開閉体の作動態様を変更可能に制御するＰＷＭ制御部と、駆動中の前記モータ本体の回転が拘束されたときの該モータ本体の駆動情報が設定条件を満たしているか否かを判定する設定条件判定部と、前記設定条件判定部にて前記駆動情報が前記設定条件を満たしていると判定された場合、当該モータ本体の回転が拘束されたときの前記開閉体の開閉位置を可動域の端位置として設定する位置設定部とを備え、前記ＰＷＭ制御部は、前記設定条件判定部による、前記駆動情報が前記設定条件を満たしているか否かの判定結果に基づいて、ＰＷＭ制御の制御周波数を可聴域の周波数として前記モータ本体から可聴域の音を生じさせる設定報知動作を実行するものであり、前記位置設定部は、前記開閉体の閉作動中に前記モータ本体の回転が拘束されたときの該モータ本体の駆動情報が全閉位置の設定条件を満たしていると前記設定条件判定部にて判定された場合、当該モータ本体の回転が拘束されたときの前記開閉体の開閉位置を全閉位置として設定し、前記開閉体の開作動中に前記モータ本体の回転が拘束されたときの該モータ本体の駆動情報が全開位置の設定条件を満たしていると前記設定条件判定部にて判定された場合、当該モータ本体の回転が拘束されたときの前記開閉体の開閉位置を全開位置として設定し、前記ＰＷＭ制御部は、前記設定条件判定部による前記全閉位置の設定条件を満たしているか否かの判定結果に基づいて、閉作動時用の発音態様で前記設定報知動作を実行し、前記設定条件判定部による前記全開位置の設定条件を満たしているか否かの判定結果に基づいて、前記閉作動時用の発音態様とは異なる開作動時用の発音態様で前記設定報知動作を実行する。
上記態様によれば、回転が拘束されたときのモータ本体の駆動情報が可動域の端位置の設定条件を満たしているか否かに基づいて、モータ本体から可聴域の音を生じさせる設定報知動作が実行される。これにより、開閉位置の可動域の端位置の設定が完了した（もしくは設定が完了される見込みがある）か否かの報知を、モータ本体からの発音によって簡易に行うことができ、その結果、作業性の向上や、設定不良の発生の抑制が可能となる。
【００１１】
上記態様によれば、全閉位置の設定が完了した（もしくは設定が完了される見込みがある）か否かの報知と、全開位置の設定が完了した（もしくは設定が完了される見込みがある）か否かの報知とを区別することができ、より一層の作業性の向上に寄与できる。
上記開閉体制御装置において、前記ＰＷＭ制御部は、前記判定結果が前記設定条件を満たしている旨の判定の場合にのみ、又は前記設定条件を満たしていない旨の判定の場合にのみ、前記設定報知動作を実行する。
上記態様によれば、開閉体の可動域の端位置の設定が完了した（もしくは設定が完了される見込みがある）か否かの報知をモータ本体からの発音によって行うことができる。
【００１２】
上記課題を解決する開閉体駆動モータは、開閉体を自動開閉するためのモータ本体と、上記の開閉体制御装置とを備える。
上記態様によれば、開閉体の可動域の端位置の設定時における報知を簡易に行うことができる、制御装置一体のモータを提供できる。
【００１３】
上記課題を解決する開閉体駆動システムは、車両に搭載される開閉体と、前記開閉体を自動開閉するためのモータ本体を含む開閉体駆動モータと、上記の開閉体制御装置とを備える。
【００１４】
上記態様によれば、開閉体の可動域の端位置の設定時における報知を簡易に行うことができる開閉体駆動システムを提供できる。
【発明の効果】
【００１５】
本発明の開閉体制御装置、開閉体駆動モータ及び開閉体駆動システムによれば、開閉体の可動域の端位置の設定時における報知を簡易に行うことができる。
【図面の簡単な説明】
【００１６】
【図１】実施形態におけるパワーウインドモータを含むシステムの概略構成図。
【図２】同形態におけるウインドガラスの可動域の端位置の設定態様を説明するための説明図。
【図３】同形態におけるウインドガラスの開閉位置の初期化の態様を説明するためのフロー図。
【図４】変形例におけるウインドガラスの開閉位置の初期化の態様を説明するためのフロー図。
【図５】変形例におけるウインドガラスの開閉位置の初期化の態様を説明するためのフロー図。
【発明を実施するための形態】
【００１７】
以下、開閉体制御装置、開閉体駆動モータ及び開閉体駆動システムの一実施形態について説明する。
図１に示すように、車両に搭載されるパワーウインドシステム１０は、車両ドアＤＲのウインドガラスＷＧの自動開閉を行うために各ドアＤＲ内に取り付けられるパワーウインドモータ１１と、各ドアＤＲ毎のパワーウインドモータ１１と通信可能に接続されるボディＥＣＵ（Electric Control Unit:電子制御装置）２１とを備える。
【００１８】
パワーウインドモータ１１は、モータ本体１２と、駆動回路１３と、パワーウインドＥＣＵ（Ｐ／ＷＥＣＵ）１４とが一体に組み付けられて構成されている。
モータ本体１２は、駆動回路１３からの駆動電力の供給に基づいて回転駆動し、ウインドレギュレータ（図示略）を介してウインドガラスＷＧを上下方向に開閉作動させる。
【００１９】
駆動回路１３は、リレー回路１３ａと、ＦＥＴ（Field effect transistor）１３ｂとを備える。リレー回路１３ａは、車両搭載のバッテリＢＴからの電力供給を受けてモータ本体１２に対する正逆転駆動のための駆動電力の供給及び停止を行う回路である。また、半導体スイッチング素子であるＦＥＴ１３ｂは、ＰＷＭ（Pulse Width Modulation）制御が行われ、リレー回路１３ａから出力する駆動電力の調整を行う。つまり、リレー回路１３ａは、モータ本体１２の正転又は逆転駆動とその駆動停止、即ちウインドガラスＷＧの開又は閉方向への作動とその作動停止を行い、ＦＥＴ１３ｂは、モータ本体１２の回転速度の変更、即ちウインドガラスＷＧの動作速度の変更を行う。リレー回路１３ａ及びＦＥＴ１３ｂは、Ｐ／ＷＥＣＵ１４にて制御される。
【００２０】
Ｐ／ＷＥＣＵ１４は、ＰＷＭ制御部１４ａと、位置速度検出部１４ｂと、挟み込み処理部１４ｃとを備える。Ｐ／ＷＥＣＵ１４は、これらＰＷＭ制御部１４ａ、位置速度検出部１４ｂ、及び挟み込み処理部１４ｃ等を用い、ウインドガラスＷＧの開閉作動に係る各種制御を行う。ここで、各種制御を行うに際し、Ｐ／ＷＥＣＵ１４には、モータ本体１２の回転に同期した回転パルス信号が回転センサ１５から入力される。また、Ｐ／ＷＥＣＵ１４には、車両ドアＤＲ等に備えられる開閉スイッチ２０からの開又は閉指令信号が入力される。
【００２１】
Ｐ／ＷＥＣＵ１４は、開指令信号の入力の場合にはリレー回路１３ａに対してモータ本体１２を例えば正転させるための給電方向で、閉指令信号の入力の場合にはモータ本体１２を例えば逆転させるための給電方向で、それぞれ給電可能な状態（ＯＮ）に切り替える。またこの場合、Ｐ／ＷＥＣＵ１４のＰＷＭ制御部１４ａは、ＦＥＴ１３ｂの制御端子にＰＷＭ制御信号を出力し、所定の制御周波数（ＰＷＭ周波数）及びデューティ比でのＦＥＴ１３ｂのＰＷＭ制御を行う。開閉指令信号の入力が無くなると、Ｐ／ＷＥＣＵ１４は、リレー回路１３ａに対してモータ本体１２への給電を停止（ＯＦＦ）し、ＰＷＭ制御部１４ａは、ＰＷＭ制御信号を通じてＦＥＴ１３ｂをオフに切り替える。
【００２２】
位置速度検出部１４ｂは、モータ本体１２の回転に同期した回転パルス信号（具体的には回転パルス信号のエッジのカウント）に基づいて、モータ本体１２の回転位置、即ちウインドガラスＷＧの位置検出を行う。また、位置速度検出部１４ｂは、上記回転パルス信号（具体的には回転パルス信号の周期の長さ）に基づいて、モータ本体１２の回転速度（ウインドガラスＷＧの動作速度）の検出を行う。モータ本体１２の回転速度が遅くなる程、回転パルス信号の周期は長くなる。
【００２３】
挟み込み処理部１４ｃは、モータ本体１２の駆動情報（回転速度や電流値など）に基づいて、閉作動中のウインドガラスＷＧにて異物の挟み込みが行われたか否かの判定を行う。異物の挟み込みが生じたと判定した場合、挟み込み処理部１４ｃは、挟み込んだ異物を解放可能とすべくウインドガラスＷＧを例えば所定量開作動させるようにリレー回路１３ａ及びＦＥＴ１３ｂを制御する。なお、挟み込み処理部１４ｃにて、開作動中のウインドガラスＷＧと車両ドアＤＲとの間で生じる異物の巻き込みの判定を行ってもよく、この場合、挟み込み処理部１４ｃは、巻き込んだ異物を解放可能とすべくウインドガラスＷＧを例えば所定量閉作動させるようにリレー回路１３ａ及びＦＥＴ１３ｂを制御する。
【００２４】
Ｐ／ＷＥＣＵ１４は、上位ＥＣＵであるボディＥＣＵ２１と車両通信システムを介して通信可能に接続されている。車両通信システムとしては、ＬＩＮ（Local Interconnect Network）通信や、ＣＡＮ（Controller Area Network）通信等がある。Ｐ／ＷＥＣＵ１４は、必要な各種の車両情報をボディＥＣＵ２１から取得する。
【００２５】
ここで、Ｐ／ＷＥＣＵ１４の位置速度検出部１４ｂがウインドガラスＷＧの位置検出を行うにあたり、ウインドガラスＷＧの可動域の端位置（全閉位置や全開位置）を認識している（すなわち、開閉位置の初期化が完了している）必要がある。
【００２６】
位置速度検出部１４ｂは、ウインドガラスＷＧの可動域の端位置が設定されていない状態でのウインドガラスＷＧの作動中において、モータ本体１２の回転が物理的に拘束された後、所定の設定条件を満たした場合に、その拘束位置を可動域の端位置として設定する。より詳しくは、位置速度検出部１４ｂは、ウインドガラスＷＧの閉作動中にモータ本体１２の回転が物理的に拘束された後、所定の設定条件を満たした場合に、その拘束位置を全閉位置（可動域の第１端位置）としてＰ／ＷＥＣＵ１４内のメモリ（図示略）に記憶させる。また、位置速度検出部１４ｂは、ウインドガラスＷＧの開作動中にモータ本体１２の回転が物理的に拘束された後、所定の設定条件を満たした場合に、その拘束位置を全開位置（可動域の第２端位置）として前記メモリに記憶させる。
【００２７】
なお、上記のような可動域の端位置の設定（開閉位置の初期化）は、例えば車両へのパワーウインドモータ１１及びウインドレギュレータの組付時やこれらを含む構成部品の交換時、車両のバッテリＢＴの交換時等、Ｐ／ＷＥＣＵ１４がウインドガラスＷＧの可動域の端位置の情報を記憶していない（喪失している）場合に行われる。
【００２８】
ここで、ウインドガラスＷＧの可動域の端位置の設定態様（設定条件）の一例を、図２を用いて説明する。
例えば、作業者は開閉スイッチ２０の操作によってウインドガラスＷＧを開方向又は閉方向に作動させる。このとき、Ｐ／ＷＥＣＵ１４には、モータ本体１２の回転に同期した回転パルス信号が回転センサ１５から入力される。
【００２９】
ここで、ウインドガラスＷＧが可動域の端位置に到達すると、モータ本体１２の回転が物理的に拘束され、回転パルス信号の入力が途絶える。そして、回転パルス信号の入力が途絶えた時点から所定時間Ｔが経過する間、継続してリレー回路１３ａがＯＮの状態であるとき、位置速度検出部１４ｂは、位置速度検出部１４ｂは、モータ本体１２の回転が拘束されたと判定（検知）し、そのときのウインドガラスＷＧの開閉位置を可動域の端位置として設定する。すなわち、回転パルス信号の入力が途絶えてからの経過時間が、リレー回路１３ａのＯＮ状態が維持されたまま所定時間Ｔに達するか否かを可動域の端位置の設定条件としている。なお、上記所定時間Ｔの長さは、例えば約１００〜５００ｍｓに設定されることが好ましい。
【００３０】
なお、上記のような可動域の端位置の設定（開閉位置の初期化）の態様は、車種などによって異なるパワーウインドシステム１０の仕様に応じて適宜変更されるものであり、ウインドガラスＷＧの全閉位置（又は全開位置）のみ設定する仕様、全閉位置と全開位置の両方の設定が必要な仕様など様々である。さらに、ウインドガラスＷＧの全閉位置と全開位置の両方の設定が必要な場合には、全開位置の設定に次いで全閉位置の設定を行う場合と、反対に、全閉位置の設定に次いで全開位置の設定を行う場合がある。
【００３１】
次に、パワーウインドシステム１０の動作について説明する。
Ｐ／ＷＥＣＵ１４は、可動域の端位置を基準とするウインドガラスＷＧの開閉位置を認識しつつ、駆動回路１３からモータ本体１２に供給する駆動電力（モータ印加電圧）をＦＥＴ１３ｂのＰＷＭ制御にて調整している。このとき、ＰＷＭ制御のデューティ比が可変されることでモータ印加電圧が調整され、ウインドガラスＷＧの動作速度が変化するようになっている。
【００３２】
また、このとき、ＰＷＭ制御の制御周波数が可変されることで、モータ本体１２（具体的にはモータ本体１２が備えるコイル）の振動の周波数が調整される。そして、ＰＷＭ制御の制御周波数が可聴域の周波数とされることで、モータ本体１２（コイル）が可聴域の周波数で振動され、これにより、モータ本体１２から可聴域の音が生じるモータ発音動作が行われるようになっている。なお、このモータ発音動作において設定される可聴域の周波数は、例えば約５００〜１０００［Ｈｚ］とされる。
【００３３】
そして、上記したウインドガラスＷＧの開閉位置の初期化時において、ＰＷＭ制御部１４ａは、位置速度検出部１４ｂによる、可動域の端位置の設定条件を満たしているか否かの判定結果に基づいて、前記モータ発音動作（設定報知動作）を実行する。
【００３４】
図３は、ウインドガラスＷＧの開閉位置の初期化に、全開位置及び全閉位置の各々の設定が必要な場合の設定態様を示すフロー図である。
同図に示すように、まず、ステップＳ１において、例えば作業者による開閉スイッチ２０の操作に基づいてウインドガラスＷＧの開作動が開始される。その開作動中において、ウインドガラスＷＧが全開位置（機械的なロック位置）に到達したとき、モータ本体１２の回転が拘束されて回転パルス信号の入力が途絶える。
【００３５】
すると、ステップＳ２において、位置速度検出部１４ｂは、回転パルス信号の入力が途絶えた時点からの経過時間のカウントを開始し、該経過時間が所定時間Ｔに達するまでの間、継続してリレー回路１３ａがＯＮの状態であることを全開位置の設定条件として、その設定条件を満たすか否かを判定する。そして、全開位置の設定条件を満たすと判定された場合、その時点でのウインドガラスＷＧの開閉位置が全開位置として記憶（設定）される（ステップＳ３）。
【００３６】
次いで、ステップＳ４において、ＰＷＭ制御部１４ａの制御に基づくモータ本体１２の発音動作（設定報知動作）が実行される。
また、ステップＳ２において、全開位置の設定条件を満たさないと判定された場合には、ステップＳ１に戻る。本実施形態では、回転パルス信号の入力が途絶えた時点からの経過時間が所定時間Ｔに達する前に、作業者が開閉スイッチ２０の操作をやめるなどして、リレー回路１３ａがＯＦＦに切り替わったときに、全開位置の設定条件を満たさない旨の判定が行われる（図２参照）。
【００３７】
ステップＳ４の後のステップＳ５において、例えば作業者による開閉スイッチ２０の操作に基づいてウインドガラスＷＧの閉作動が開始される。その閉作動中において、ウインドガラスＷＧが全閉位置（機械的なロック位置）に到達したとき、モータ本体１２の回転が拘束されて回転パルス信号の入力が途絶える。
【００３８】
すると、ステップＳ６において、位置速度検出部１４ｂは、回転パルス信号の入力が途絶えた時点からの経過時間のカウントを開始し、該経過時間が所定時間Ｔに達するまでの間、継続してリレー回路１３ａがＯＮの状態であることを全閉位置の設定条件として、その設定条件を満たすか否かを判定する。そして、全閉位置の設定条件を満たすと判定された場合、その時点でのウインドガラスＷＧの開閉位置が全閉位置として記憶（設定）される（ステップＳ７）。これにより、ウインドガラスＷＧの開閉位置の初期化が完了する。
【００３９】
次いで、ステップＳ８において、ＰＷＭ制御部１４ａの制御に基づくモータ本体１２の発音動作（設定報知動作）が実行される。
このステップＳ８の設定報知動作（全閉位置の設定が完了した旨を報知するモータ本体１２の発音動作）におけるモータ本体１２の発音態様は、前記ステップＳ４の設定報知動作（全開位置の設定が完了した旨を報知するモータ本体１２の発音動作）におけるモータ本体１２の発音態様と異なる態様に設定されている。具体的には、ステップＳ４の設定報知動作とステップＳ８の設定報知動作とで、発音回数、音の高さ、発音区間の長さなどを異ならせる。なお、ステップＳ４の設定報知動作とステップＳ８の設定報知動作とで発音回数を異ならせる場合、例えば、ステップＳ４の設定報知動作では１度発音させるのに対し、ステップＳ８の設定報知動作では２度発音させるといった設定が考えられる。
【００４０】
上記ステップＳ６において、全閉位置の設定条件を満たさないと判定された場合には、ステップＳ５に戻る。本実施形態では、回転パルス信号の入力が途絶えた時点からの経過時間が所定時間Ｔに達する前に、作業者が開閉スイッチ２０の操作をやめるなどして、リレー回路１３ａがＯＦＦに切り替わったときに、全閉位置の設定条件を満たさない旨の判定が行われる（図２参照）。
【００４１】
本実施形態の作用について説明する。
ウインドガラスＷＧの開閉位置の初期化時において、まず、全開位置の設定が完了したときにモータ本体１２の発音動作による報知が実行され、次いで、全閉位置の設定が完了したときにモータ本体１２の発音動作による報知が実行される。これにより、全開位置及び全閉位置の設定が完了したか否かを作業者が速やかに判断することが可能となり、開閉位置の初期化の作業をスムーズに完了させることができる。
【００４２】
本実施形態の効果について説明する。
（１）位置速度検出部１４ｂは、駆動中のモータ本体１２の回転が拘束されたときの該モータ本体１２の駆動情報（本実施形態では回転パルス信号に基づく情報）が所定の設定条件を満たしている場合、当該モータ本体１２の回転が拘束されたときのウインドガラスＷＧの開閉位置を可動域の端位置（全閉位置又は全開位置）として設定する。そして、ＰＷＭ制御部１４ａは、モータ本体１２の回転が拘束されたときの駆動情報が設定条件を満たしているか否かの判定結果に基づいて、ＰＷＭ制御の制御周波数を可聴域の周波数としてモータ本体１２から可聴域の音を生じさせる設定報知動作を実行する。これにより、開閉位置の可動域の端位置（全閉位置又は全開位置）の設定が完了したか否かの報知を行うことができ、その結果、作業性の向上や、設定不良の発生の抑制が可能となる。また、モータ本体１２からの発音によって当該報知を行うことができるため、当該報知のために車載のスピーカ、スイッチ部のＬＥＤ照明を用いたり、モータ本体１２とは別の報知装置などを別途設けたりする必要がなく、簡易な構成で報知を行うことができる。
【００４３】
（２）ＰＷＭ制御部１４ａは、モータ本体１２の回転が拘束されたときの駆動情報が設定条件を満たしている場合にのみ、モータ本体１２の設定報知動作を実行する。これにより、モータ本体１２の回転が拘束された（開閉体の動きが止まった）後、ウインドガラスＷＧの可動域の端位置の設定が完了した旨の報知を、モータ本体１２からの発音によって行うことができる。
【００４４】
（３）ＰＷＭ制御部１４ａは、全閉位置の設定条件を満たしているか否かの判定結果に基づいて、閉作動時用の発音態様で設定報知動作を実行し、全開位置の設定条件を満たしているか否かの判定結果に基づいて、閉作動時用の発音態様とは異なる開作動時用の発音態様で設定報知動作を実行する。これにより、全閉位置の設定が完了したか否かの報知と、全開位置の設定が完了したか否かの報知とを区別することができ、より一層の作業性の向上に寄与できる。
【００４５】
本実施形態は、以下のように変更して実施することができる。本実施形態及び以下の変更例は、技術的に矛盾しない範囲で互いに組み合わせて実施することができる。
・ＰＷＭ制御部１４ａにおける設定報知動作の制御において、モータ本体１２の回転が拘束されたときの駆動情報が設定条件を満たしていない場合にのみ、モータ本体１２の設定報知動作を実行するようにしてもよい。この場合のフローの一例を図４に示す。なお、同図のフローにおいて、上記実施形態と同様のステップについては同実施形態と同じ符号を付してその詳細の説明を省略する。
【００４６】
図４に示すように、ステップＳ１のウインドガラスＷＧの開作動中にモータ本体１２の回転が拘束された後、ステップＳ２において、モータ本体１２の駆動情報（回転パルス信号に基づく情報）が全開位置の設定条件を満たさないと判定された場合、ステップＳ１１に移行する。そして、ステップＳ１１においてＰＷＭ制御部１４ａの制御に基づくモータ本体１２の発音動作（設定報知動作）が実行され、ステップＳ１に戻る。これにより、モータ本体１２の回転が拘束された（ウインドガラスＷＧの開作動が止まった）後、ウインドガラスＷＧの全開位置の設定が完了していない旨の報知を、モータ本体１２からの発音によって実行することができる。
【００４７】
また、ステップＳ２において、モータ本体１２の駆動情報が全開位置の設定条件を満たすと判定された場合、その時点でのウインドガラスＷＧの開閉位置が全開位置として設定される（ステップＳ３）。
【００４８】
次いで、ステップＳ５において、例えば作業者による開閉スイッチ２０の操作に基づいてウインドガラスＷＧの閉作動が開始される。
ステップＳ５のウインドガラスＷＧの閉作動中にモータ本体１２の回転が拘束された後、ステップＳ６において、モータ本体１２の駆動情報が全閉位置の設定条件を満たさないと判定された場合、ステップＳ１２に移行する。そして、ステップＳ１２においてＰＷＭ制御部１４ａの制御に基づくモータ本体１２の発音動作（設定報知動作）が実行され、ステップＳ５に戻る。これにより、モータ本体１２の回転が拘束された（ウインドガラスＷＧの閉作動が止まった）後、ウインドガラスＷＧの全閉位置の設定が完了していない旨の報知を、モータ本体１２からの発音によって実行することができる。なお、上記実施形態と同様に、ステップＳ１１の設定報知動作におけるモータ本体１２の発音態様と、ステップＳ１２の設定報知動作におけるモータ本体１２の発音態様とが異なるように設定してもよい。
【００４９】
ステップＳ６において、モータ本体１２の駆動情報が全閉位置の設定条件を満たすと判定された場合、その時点でのウインドガラスＷＧの開閉位置が全閉位置として設定される（ステップＳ７）。これにより、ウインドガラスＷＧの開閉位置の初期化が完了する。
【００５０】
同図に示す態様によれば、ＰＷＭ制御部１４ａは、モータ本体１２の回転が拘束されたときの駆動情報が設定条件を満たしていない場合にのみ、モータ本体１２の設定報知動作を実行する。これによっても、ウインドガラスＷＧの開閉位置の可動域の端位置（全閉位置又は全開位置）の設定が完了したか否かの報知を、モータ本体１２からの発音によって簡易に行うことができ、その結果、作業性の向上や、設定不良の発生の抑制が可能となる。
【００５１】
・ＰＷＭ制御部１４ａにおける設定報知動作の制御において、モータ本体１２の回転が拘束されたときの駆動情報が設定条件を満たしている場合と、満たしていない場合の各々で設定報知動作を実行してもよい。この場合のフローの一例を図５に示す。なお、同図のフローにおいて、上記実施形態及び図４のフローと同様のステップについては同実施形態と同じ符号を付してその詳細の説明を省略する。
【００５２】
図５に示すように、ステップＳ１のウインドガラスＷＧの開作動中にモータ本体１２の回転が拘束された後、ステップＳ２において、モータ本体１２の駆動情報（回転パルス信号に基づく情報）が全開位置の設定条件を満たすと判定された場合、その時点でのウインドガラスＷＧの開閉位置が全開位置として設定される（ステップＳ３）。
【００５３】
次いで、ステップＳ４において、ＰＷＭ制御部１４ａの制御に基づくモータ本体１２の発音動作（設定報知動作）が実行される。
また、ステップＳ２において、モータ本体１２の駆動情報が全開位置の設定条件を満たさないと判定された場合、ステップＳ１１に移行する。そして、ステップＳ１１でモータ本体１２の発音動作（設定報知動作）が実行され、ステップＳ１に戻る。
【００５４】
ここで、ステップＳ４の設定報知動作（全開位置の設定条件を満たす場合のモータ本体１２の発音動作）と、ステップＳ１１の設定報知動作（全開位置の設定条件を満たさない場合のモータ本体１２の発音動作）とでは、発音態様が互いに異なるように設定されている。具体的には、ステップＳ４の設定報知動作とステップＳ１１の設定報知動作とで、発音回数、音の高さ、発音区間の長さなどを異ならせる。
【００５５】
ステップＳ４の後のステップＳ５において、例えば作業者による開閉スイッチ２０の操作に基づいてウインドガラスＷＧの閉作動が開始される。
ステップＳ５のウインドガラスＷＧの閉作動中にモータ本体１２の回転が拘束された後、ステップＳ６において、モータ本体１２の駆動情報が全閉位置の設定条件を満たすと判定された場合、その時点でのウインドガラスＷＧの開閉位置が全閉位置として設定される（ステップＳ７）。
【００５６】
次いで、ステップＳ８において、ＰＷＭ制御部１４ａの制御に基づくモータ本体１２の発音動作（設定報知動作）が実行される。
また、ステップＳ６において、モータ本体１２の駆動情報が全閉位置の設定条件を満たさないと判定された場合、ステップＳ１２に移行する。そして、ステップＳ１２でモータ本体１２の発音動作（設定報知動作）が実行され、ステップＳ５に戻る。
【００５７】
ここで、ステップＳ８の設定報知動作（全閉位置の設定条件を満たす場合のモータ本体１２の発音動作）と、ステップＳ１２の設定報知動作（全閉位置の設定条件を満たさない場合のモータ本体１２の発音動作）とでは、発音態様が互いに異なるように設定されている。具体的には、ステップＳ８の設定報知動作とステップＳ１２の設定報知動作とで、発音回数、音の高さ、発音区間の長さなどを異ならせる。
【００５８】
同図に示す態様によっても、ウインドガラスＷＧの可動域の端位置（全開位置及び全閉位置）の設定が完了したか否かの報知を、モータ本体１２からの発音によって簡易に行うことができ、その結果、作業性の向上や、設定不良の発生の抑制が可能となる。
【００５９】
・全開位置の設定が完了した旨を報知するモータ本体１２の発音動作（ステップＳ４の設定報知動作）における発音態様と、全閉位置の設定が完了した旨を報知するモータ本体１２の発音動作（ステップＳ８の設定報知動作）における発音態様とを同じにしてもよい。
【００６０】
・上記実施形態では、ウインドガラスＷＧの可動域の端位置の設定条件に用いるモータ本体１２の駆動情報を回転パルス信号に基づく情報としているが、これ以外に例えば、回転が拘束されたときのモータ本体１２の電流値（いわゆるロック電流）としてもよい。この場合、例えば、ロック電流が閾値を越えた時点からの経過時間が所定時間に達するまでの間継続してリレー回路１３ａがＯＮの状態であることを、ウインドガラスＷＧの可動域の端位置の設定条件とすることが考えられる。
【００６１】
・全開位置の設定条件と全閉位置の設定条件とを異ならせてもよい。例えば、全開位置の設定条件と全閉位置の設定条件とで前記所定時間Ｔを異なる値とすることなどが考えられる。
【００６２】
・ステップＳ１におけるウインドガラスＷＧの開作動が、作業者の開閉スイッチ２０の操作によるものではなく、上位ＥＣＵであるボディＥＣＵ２１やＰ／ＷＥＣＵ１４、又は、初期化時にパワーウインドシステム１０に外部接続する外部設定装置に持たせた自動設定部（図示略）から出力される開指令信号（初期化の開始指令）に基づいてなされてもよい。この場合、ステップＳ５では、前段のステップＳ４（又はステップＳ３）が終了した後に前記自動設定部から出力される閉指令信号に基づいてウインドガラスＷＧの閉作動がなされることが望ましい。
【００６３】
・車両の例えば助手席ドアや後席ドアにおいて、初期化時のウインドガラスＷＧの開閉作動（ステップＳ１，Ｓ５）が、他席ドア（例えば運転席ドア）に設けられたリモート開閉スイッチの操作によってなされてもよい。この場合、初期化中に作業者がウインドガラスＷＧの動きを逐一見ることができない場合もあるため、上記実施形態のように、全開位置の設定が完了した旨を報知するモータ本体１２の発音動作（ステップＳ４の設定報知動作）における発音態様と、全閉位置の設定が完了した旨を報知するモータ本体１２の発音動作（ステップＳ８の設定報知動作）における発音態様とを異ならせることが好ましい。
【００６４】
・ステップＳ２において、モータ本体１２の駆動情報が全開位置の設定条件を満たすと判定された場合に、まず、モータ本体１２の発音動作（設定報知動作）を実行し、その後、全開位置の設定（モータ本体１２の回転拘束位置の記憶）を行うようにしてもよい。つまり、モータ本体１２の設定報知動作を実行する時点で、全開位置の設定が完了していなくてもよい。同様に、ステップＳ６において、モータ本体１２の駆動情報が全閉位置の設定条件を満たすと判定された場合に、まず、モータ本体１２の発音動作（設定報知動作）を実行し、その後、全閉位置の設定（モータ本体１２の回転拘束位置の記憶）を行うようにしてもよい。
【００６５】
・ウインドガラスＷＧの作動中にモータ本体１２の回転が拘束された後、ＰＷＭ制御部１４ａは、ウインドガラスＷＧの可動域の端位置の設定が完了したか否かを示す信号（フラグ）に基づいて、モータ本体１２から可聴域の音を生じさせる設定報知動作を実行してもよい。
【００６６】
・ウインドガラスＷＧの位置情報をモータ本体１２の回転センサ１５から得る構成としていたが、例えばモータ本体１２の電流リップルを検出可能な電流センサにてウインドガラスＷＧの位置情報を得る構成としてもよい。
【００６７】
・上記実施形態では、パワーウインドモータ１１に駆動回路１３及びＰ／ＷＥＣＵ１４を一体に設ける構成としていたが、駆動回路１３及びＰ／ＷＥＣＵ１４を例えば開閉スイッチ２０側や、車両ドアＤＲに関する電装品を統合制御するドア統合ＥＣＵ側に設けてもよい。
【００６８】
・上記実施形態では特に言及しなかったが、パワーウインドモータ１１のモータ本体１２はブラシ付きモータでもよく、ブラシレスモータであってもよい。
・駆動回路１３をリレー回路１３ａとＦＥＴ１３ｂとで構成したが、駆動回路の構成はこれに限らず、例えばＦＥＴ等の半導体スイッチング素子を４個用いたフルブリッジ型駆動回路、半導体スイッチング素子を２個用いたハーフブリッジ型駆動回路を用いてもよい。
【００６９】
・開閉対象はウインドガラスＷＧでありそれを開閉するパワーウインドモータ１１（パワーウインドシステム１０）に適用したが、車両の他の開閉体駆動モータ（開閉体駆動システム）、例えばスライドルーフやスライドドアを駆動するモータ（システム）に適用してもよい。
【符号の説明】
【００７０】
１０…パワーウインドシステム（開閉体駆動システム）、１１…パワーウインドモータ（開閉体駆動モータ）、１２…モータ本体、１４…パワーウインドＥＣＵ（開閉体制御装置）、１４ａ…ＰＷＭ制御部、１４ｂ…位置速度検出部（設定条件判定部、位置設定部）、ＷＧ…ウインドガラス（開閉体）。
【図１】
0006988389.tif 000002
【図２】
0006988389.tif 000003
【図３】
0006988389.tif 000004
【図４】
0006988389.tif 000005
【図５】
0006988389.tif 000006